(57)【特許請求の範囲】
【請求項１】
被固定物を挟持するための固定フレームであって、
固定位置と緩み位置との間に束ね又は広げることができるように、前記被固定物の少なくとも両側に取り外し可能に架設され、前記緩み位置に位置する場合に前記被固定物を離脱させ、前記固定位置に位置する場合に前記被固定物に安定に接続されるフレーム本体と、
前記フレーム本体内を通るラニヤードと、
前記ラニヤードに結合され、前記フレーム本体を前記緩み位置から前記固定位置まで束ねさせるように束ね方向へ回転して前記ラニヤードを引き締め、前記フレーム本体を前記固定位置から前記緩み位置まで広げさせるように、前記ラニヤードをリリースする回転締結装置と、
を備え、
前記回転締結装置はリリース機構を含み、且つ前記リリース機構を操作することで前記ラニヤードを１段ごとに又は１回でリリースすることを特徴とする固定フレーム。
【請求項２】
前記ラニヤードは、前記回転締結装置に取り外し可能に結合されることを特徴とする請求項１に記載の固定フレーム。
【請求項３】
前記回転締結装置は、緩み方向へ回転して前記ラニヤードを１段ごとに又は１回でリリースすることを特徴とする請求項１に記載の固定フレーム。
【請求項４】
被固定物を挟持するための固定フレームであって、
前記被固定物の少なくとも両側に取り外し可能に架設され、且つ係止部を含むフレーム本体と、
前記係止部と前記フレーム本体との間を通るラニヤードと、
前記ラニヤードに結合され、前記係止部を前記緩み位置から前記固定位置まで移動させるように束ね方向へ回転して前記ラニヤードを引き締める回転締結装置と、
を備え、
前記係止部は、前記フレーム本体に対して固定位置と緩み位置との間に移動できるように、前記フレーム本体に摺動可能に設けられ、前記緩み位置に位置する場合に前記被固定物を離脱させ、前記固定位置に位置する場合に前記被固定物と前記フレーム本体を安定に接続させることを特徴とする固定フレーム。
【請求項５】
前記フレーム本体は、前記フレーム本体に設けられ、前記係止部に対応し、前記係止部が摺動可能に設けられるスライドレールを更に含むことを特徴とする請求項４に記載の固定フレーム。
【請求項６】
前記フレーム本体は、前記ラニヤードが前記フレーム本体を通り抜ける複数の貫通孔を有し、前記係止部は、前記ラニヤードが前記係止部を通り抜けるガイド通路を有することを特徴とする請求項４に記載の固定フレーム。
【請求項７】
前記ラニヤードは、前記回転締結装置に取り外し可能に結合されることを特徴とする請求項４に記載の固定フレーム。
【請求項８】
前記回転締結装置は、緩み方向へ回転して前記ラニヤードを１段ごとに又は１回でリリースすることを特徴とする請求項４に記載の固定フレーム。
【請求項９】
前記回転締結装置はリリース機構を含み、且つ前記リリース機構を操作することで前記ラニヤードをリリースすることを特徴とする請求項４に記載の固定フレーム。
【発明の詳細な説明】
【技術分野】
【０００１】
本発明は、被固定物を挟持するための固定フレームに関する。
【背景技術】
【０００２】
被固定物の保護又は一般的によく見られる携帯電話の保護ケース、車用バックミラーの補助ブラケット等の他の関連付属部品の接続に用いる外部フレームによって被固定物を挟持する装置は、既に市販されている。
【発明の概要】
【発明が解決しようとする課題】
【０００３】
従来の市販品として、緊密に係合させるように外部フレームと被固定物とを固定することが多く、一旦大きな外力衝撃（例えば、落ち、ばね）を受けると、被固定物が外部フレームから脱落して破損することがある。
その後、外部フレームを被固定物に安定に接続させるために、ベルト又はねじ込み部材によって外部フレームと被固定物との間の接続の安定性を増加するものが次々に開発された。しかし、上記の方法及び部材は、接続の安定性を効果的に向上させることができるが、それに対して、組み立て及び取外しに一定の困難度があるので、組み立て又は取外しを行うために、多くの工程や特定的なツールが必要であり、上記フレームの使用タイミングが更に限られる。
【０００４】
フレームの組み立て及び取外しの工程を簡単化するために、バックルに一定の間隔のラックを合わせて被固定物のフレームを固定するものが開発された。しかし、ラックにおけるノッチ間隔が一定であるため、実際に使用する場合にバックルとラックとの合わせに段差が発生することで、フレームが完全に緊密に被固定物に接続されなくなる。
【０００５】
このため、本発明の一つの目的は、被固定物が外力衝撃によって固定フレームから脱落しないように、ラニヤードに回転締結装置を合わせて、固定フレームを安定に被固定物に接続させることのできる固定フレームを提供することにある。
【０００６】
本発明の別の目的は、回転締結装置を簡単に回転するだけで、固定フレームを被固定物に組み立て又は被固定物から取り外すことのできる固定フレームを提供することにある。
【０００７】
本発明のまた一つの目的は、固定フレームを緊密に被固定物に接続させるように、ラニヤードが段差なしに回転締結装置に合わせることのできる固定フレームを提供することにある。
【０００８】
本明細書に記載の固定フレームは、被固定物の保護フレーム（例えば、携帯電話の保護フレーム）を保護し、或いは被固定物の支持フレーム（例えば、バックミラーの補助支持フレーム、ピクチャフレーム又はテレビフレーム）を架設することに用いられることができる。被固定物は、特定のタイプの物品に限定されず、携帯電話、タブレットコンピュータ、ドライブレコーダー又は衛星ナビゲーション等のハンドヘルド電子機器であってもよいし、液晶テレビ、コンピュータスクリーン等の固定型表示装置であってもよいし、絵画、ポスター等の展示物であってもよい。
【課題を解決するための手段】
【０００９】
本発明の一態様は、被固定物を挟持するための固定フレームであって、固定位置と緩み位置との間に束ね又は広げることができるように、被固定物の少なくとも両側に取り外し可能に架設され、緩み位置に位置する場合に被固定物を離脱させ、固定位置に位置する場合に被固定物に安定に接続されるフレーム本体と、フレーム本体内を通るラニヤードと、ラニヤードに結合され、フレーム本体を緩み位置から固定位置まで束ねさせるように束ね方向へ回転してラニヤードを引き締め、フレーム本体を固定位置から緩み位置まで広げさせるようにラニヤードをリリースする回転締結装置と、を備える固定フレームである。
【発明の効果】
【００１０】
上記の態様によって、使用者は、回転締結装置を束ね方向へ回転するだけで、ラニヤードを円滑に引き締め、且つフレーム本体を段差なしに固定位置と緩み位置との間に束ね又は広げさせることができる。このように、フレーム本体を緊密且つ確実に被固定物に接続させ、且つ被固定物が固定フレームから離脱しないようにすることができる。且つ、使用者は、特定のツール（例えば、ねじ回し）によってフレーム本体と被固定物を束ねる必要がない。
【００１１】
なお、上記態様によれば、回転締結装置が緩み方向へ回転してラニヤードを１段ごとに又は１回でリリースし、フレーム本体が固定位置から緩み位置まで広げ、更に、被固定物を離脱させる。これにより、回転締結装置を回転することだけで、フレーム本体を被固定物から容易に取り外すことができる。ラニヤードを１段ごとにリリースすることで、回転締結装置の束ね強度を即時に調整することができる。
【００１２】
また、上記態様によれば、回転締結装置は、リリース機構を含んでよく、且つリリース機構を操作することでラニヤードを１段ごとに又は１回でリリースする。これにより、フレーム本体を固定位置から緩み位置まで迅速に広げさせ、更に被固定物を離脱させることができる。
【００１３】
上記の態様によるその他の実行可能な実施例は、下記通りである。損害されたラニヤード又は回転締結装置を即時に取り替えるために、ラニヤードは、回転締結装置に取り外し可能に結合されてよい。
【００１４】
本発明の別の態様は、被固定物を挟持するための固定フレームであって、被固定物の少なくとも両側に取り外し可能に架設され、且つ係止部を含むフレーム本体と、係止部とフレーム本体との間を通るラニヤードと、ラニヤードに結合され、係止部を緩み位置から固定位置まで移動させるように束ね方向へ回転してラニヤードを引き締める回転締結装置と、を備える固定フレームである。
係止部は、フレーム本体に対して固定位置と緩み位置との間に移動できるように、フレーム本体に摺動可能に設けられ、緩み位置に位置する場合に被固定物を離脱させ、固定位置に位置する場合に被固定物をフレーム本体に安定に接続させる。また、回転締結装置がラニヤードを引き締める場合に、フレーム本体は、同様に固定位置と緩み位置との間に移動することができる。
【００１５】
上記別の態様によって、使用者は、回転締結装置を回転するだけで、ラニヤードによって係止部を連動させることができ、係止部が固定位置と緩み位置との間に円滑に移動することができる。このように、固定フレームは、被固定物に緊密に接続されることができるだけでなく、被固定物を迅速に挟持することができ、固定フレームの取り付け及び締め付けがより簡単且つ便利になる。
【００１６】
更に、上記の別の態様によれば、フレーム本体は、フレーム本体に設けられ、外形が係止部に対応し、且つ係止部が摺動可能に設けられるスライドレールを更に含む。これにより、係止部が緩み位置と固定位置に移動する場合に、被固定物が重心のずれで緩んで滑り落とすことはない。
【００１７】
なお、上記別の態様によれば、フレーム本体は、ラニヤードがフレーム本体を通り抜けることのできる複数の貫通孔を有し、係止部にもラニヤードが係止部を通り抜けるガイド通路を有する。これにより、ラニヤードは、係止部を固定位置と緩み位置との間に移動するように連動させることができる。
【００１８】
上記の態様によれば、その他の実行可能な実施例は、下記通りである。
ラニヤードは、回転締結装置に取り外し可能に結合される。
回転締結装置は、緩み方向へ回転して１段ごとに又は１回でラニヤードをリリースする。
回転締結装置は、リリース機構を含み、且つリリース機構を操作することで１段ごとに又は１回でラニヤードをリリースする。
【００１９】
本発明による固定フレームは、被固定物を安定に挟持するために回転締結装置によってラニヤードを連動させる。
以上をまとめると、本発明による固定フレームは、以下のメリットを有する。
【００２０】
１．回転締結装置は、ラニヤードに合わせて、固定フレームと被固定物を迅速且つ緊密に接続し、固定フレームによって被固定物を固定又は保護することができる。
【００２１】
２．特定のツールを使用せずに、回転締結装置を簡単に回転するだけで、固定フレームを取り付け又は取り外すことができる。
【００２２】
３．回転締結装置は、更に被固定物の外形に応じて、固定フレームの束ね形態や強度を即時に調整することができる。
【図面の簡単な説明】
【００２３】
【図１】本発明の固定フレームの一実施例を示す斜視図である。
【図２】図１の実施例の分解斜視図である。
【図３】図１の実施例の一部の分解斜視図である。
【図４Ａ】図１の実施例の動作模式図である。
【図４Ｂ】図４Ａの使用状態図である。
【図５Ａ】本発明の固定フレームの別の実施例の動作模式図である。
【図５Ｂ】図５Ａの使用状態図である。
【図６】本発明の固定フレームの配置模式図である。
【図７】本発明の固定フレームの別の配置模式図である。
【発明を実施するための形態】
【００２４】
以下、本発明の複数の実施例を図面で示し、明らかに説明するために、下記で多くの実際の細部を合わせて説明する。しかしながら、理解すべきなのは、これらの実際の細部が、本発明を制限するためのものではない。つまり、本発明の実施形態の一部において、これらの実際の細部は、必要ないものである。また、図面を簡略化するために、ある従来慣用の構造及び要素は、図面において簡単で模式的に示される。且つ重複する要素は同一の符号で示される。
【００２５】
図１〜図３を参照されたい。図１は、本発明の固定フレームの実施例の斜視図である。図２は、図１の実施例の分解斜視図である。図３は、図１の実施例の一部の分解斜視図である。
図１の実施例の固定フレームは、被固定物を挟持するための固定フレームであって、フレーム本体１００と、ラニヤード３００と、回転締結装置４００と、を備える。本発明のフレーム本体は、「コ」の字形状になって被固定物の３側に架設され、又は「口」の字形状になって被固定物の周囲に架設されてよい。そのため、フレーム本体の形態は、ここで制限されない。図１の実施例において、別途に相対的に平行である２つのロッド状のフレーム本体１００を実施例として説明するが、フレーム本体１００の数を２つ、又は形状をロッド状に制限するものではない。
【００２６】
２つのフレーム本体１００は、固定位置と緩み位置との間に束ね又は広げることができるように、それぞれ被固定物の２つの反対側に取り外し可能に架設され、フレーム本体１００が緩み位置に位置する場合に被固定物を離脱させ、固定位置に位置する場合に被固定物とフレーム本体１００を安定に接続させる。
【００２７】
ラニヤード３００は、フレーム本体１００を通る。回転締結装置４００は、ラニヤード３００に結合され、フレーム本体１００を緩み位置から固定位置まで束ねさせるように、束ね方向Ｔへ回転してラニヤード３００を引き締め、フレーム本体を固定位置から緩み位置まで広げさせるように、ラニヤード３００をリリースする。
【００２８】
図２において、複数のフレーム本体１００の各々は、２つのスライドレール１１０及び２つの係止部２００を含む。スライドレール１１０は、係止部２００に対応し、係止部２００が摺動可能にスライドレール１１０に設けられる。係止部２００が被固定物に接触し、フレーム本体１００が係止部２００に対して固定位置と緩み位置との間に移動し、更に、束ね及び広げの効果を奏する。
図３に示すように、係止部２００は、スライドレール１１０の構造形式に合わせるように「工」の字形状になって、係止部２００を脱落させずにスライドレール１１０に位置決めして摺動させる摺動端２１０を有する。
【００２９】
図３において、フレーム本体１００は、ラニヤード３００をフレーム本体１００から通り抜けさせる複数の貫通孔１２０を更に含む。係止部２００もラニヤード３００を係止部２００から通り抜けさせるガイド通路２２０を有する。このように、ラニヤード３００は、貫通孔１２０及びガイド通路２２０を介してフレーム本体１００及び係止部２００を連動させることができる。
【００３０】
また図２を参照されたい。
フレーム本体１００及び係止部２００を通り抜けたラニヤード３００は、回転締結装置４００に取り外し可能に結合される。回転締結装置４００は、ノブ４１０及びハウジング４２０を含む。束ね方向Ｔへノブ４１０を回転させると、ラニヤード３００をハウジング４２０内に引き締めると共に、ラニヤード３００もフレーム本体１００を緩み位置から固定位置まで束ねるように連動させ、更にフレーム本体１００と被固定物とを安定に接続させることができる。ハウジング４２０は、ラニヤード３００が使用環境からの干渉を受けないように保護することができる。ノブ４１０は、リリース機構であってよく、且つリリース機構を操作することでラニヤード３００をリリースすることができる。上記操作は、緩み方向Ｌへノブ４１０を回転させ、又はノブ４１０を引き上げることで、更にラニヤード３００を１段ごとに又は１回でリリースする効果を奏す。リリース機構の効果は、様々な機械部材の合わせによって達成させることができるので、ここで説明しない。
【００３１】
図４Ａ〜図４Ｂを参照されたい。図４Ａは、図１実施例の動作模式図である。図４Ｂは、図４Ａの使用状態図である。
図４Ａ及び図４Ｂにおいて、被固定物Ｏの辺縁が円滑で突起がなく、フレーム本体１００が係止部２００によって被固定物Ｏを挟持する。回転締結装置４００が束ね方向へ回転する場合に、フレーム本体１００は、緩み位置Ｐ１から固定位置Ｐ２へ移動する。被固定物Ｏは２つのフレーム本体１００の間に挟まれ、係止部２００はフレーム本体１００と被固定物Ｏとを安定に接続させることができる。図４Ａ〜図４Ｂで説明した配置は、携帯電話、タブレットコンピュータ等の辺縁が円滑な物体に適用されることができる。
【００３２】
図５Ａ〜図５Ｂを参照されたい。図５Ａは、本発明の固定フレームの別の実施例の動作模式図である。図５Ｂは、図５Ａの使用状態図である。
図５Ａにおける固定フレームは、被固定物Ｏを挟持するためのものであって、フレーム本体１００と、ラニヤード３００と、回転締結装置４００と、を備える。図５Ａの実施例において、２つのフレーム本体１００を例として説明するが、フレーム本体１００の数は２つに制限されない。
【００３３】
２つのフレーム本体１００は、被固定物Ｏの両側に取り外し可能に架設され、且つそれぞれ２つの係止部２００を含む。係止部２００は、フレーム本体１００に摺動可能に設けられ、且つフレーム本体１００に一体突出するように２つの押し当てブロック１３０が設けられる。２つの押し当てブロック１３０の位置がそれぞれ２つの係止部２００に対応する。係止部２００は、フレーム本体１００に対して固定位置Ｐ２と緩み位置Ｐ１との間に移動することができ、係止部２００が緩み位置Ｐ１に位置する場合に被固定物Ｏを離脱させ、固定位置Ｐ２に位置する場合に被固定物Ｏがフレーム本体１００の押し当てブロック１３０と係止部２００によって安定に締結して位置決めされるようにする。
【００３４】
ラニヤード３００は、係止部２００とフレーム本体１００との間を通る。回転締結装置４００は、ラニヤード３００に結合され、係止部２００を緩み位置Ｐ１から固定位置Ｐ２まで移動させるように、束ね方向へ回転してラニヤード３００を引き締める。
【００３５】
フレーム本体１００にはスライドレール及び複数の貫通孔を更に含む。スライドレールは、フレーム本体に設けられ、外形が係止部２００に対応し、且つ係止部２００を摺動可能にスライドレールに設置させることができる。貫通孔は、ラニヤード３００をフレーム本体１００から通り抜けさせることができる。なお、係止部２００にも、ラニヤード３００を係止部２００から通り抜けさせるガイド通路を有する。このように、ラニヤード３００は、貫通孔及びガイド通路を介して係止部２００をフレーム本体１００に対して固定位置Ｐ２と緩み位置Ｐ１との間に移動するように連動させることができる。上記部材の間の細部の連結関係については、図２及び図３で対応した説明と同様であり、ここで説明しない。
【００３６】
図５Ａ及び図５Ｂの実施例において、被固定物Ｏは突起縁部を有し、固定フレームはフレーム本体１００及び係止部２００によって被固定物Ｏを挟持する。回転締結装置４００が束ね方向へ回転する場合に、係止部２００は、緩み位置Ｐ１から固定位置Ｐ２へ移動する。被固定物Ｏの突起縁部は、対になったフレーム本体１００と係止部２００との間に挟まれ、フレーム本体１００を被固定物Ｏに安定に接続させることができる。図５Ａ及び図５Ｂで説明した配置は、ピクチャフレーム、バックミラー又は車内バックミラー等の突起縁部を有する物体に適用されることができる。
【００３７】
図６及び図７を参照されたい。図６は、本発明の固定フレームの配置模式図である。図７は、本発明の固定フレームの別の配置模式図である。
図６の配置では、ラニヤード３００は、単に簡単に２つのフレーム本体１００及び４つの係止部の間に平行になるように通り、且つ回転締結装置４００に結合される。回転締結装置４００が束ね方向へ回転する場合に、２つのフレーム本体１００は被固定物Ｏの上下の両側に迅速に挟まれることができる。
【００３８】
図７の配置では、ラニヤード３００は２つのフレーム本体１００の間に平行に通るだけでなく、交差するように４つの係止部の間を通る。このように、回転締結装置４００が束ね方向へ回転する場合に、２つのフレーム本体１００は被固定物Ｏの左右の両側に迅速に挟まれることができるだけでなく、４つの係止部は更に被固定物に同様な付勢力を付与することができ、付勢力の不均一によって被固定物Ｏが固定フレームから離脱することを避ける。
なお、その別の実施例において、被固定物Ｏを挟持する効果を奏するために、それぞれ被固定物Ｏの４つの隅に配置される４つのフレーム本体１００を含んでもよい。
【００３９】
上記の保護及び固定の効果以外、本発明の固定フレームは、被固定物に追加の装置又は物体を付加する補助支持フレームとしてもよい。上記の各種の実施例における回転締結装置４００がその中の１つのフレーム本体１００に設置されることもでき、従って、使用者は、使い勝手が良く且つより容易に固定フレームを束ねることができる。
【００４０】
以上のような実施例からわかるように、本発明の固定フレームは、以下のメリットを有する。
【００４１】
１．回転締結装置は、ラニヤードに合わせて、固定フレームと被固定物を迅速且つ緊密に接続し、固定フレームによって被固定物を固定又は保護することができる。
【００４２】
２．特定のツールを使用せずに、回転締結装置を簡単に回転するだけで、固定フレームを取り付け又は取り外すことができる。
【００４３】
３．回転締結装置は、更に被固定物の外形に応じて、固定フレームの束ね形態や強度を即時に調整することができる。
【００４４】
本発明では、実施形態を前述の通りに開示したが、これは本発明を限定するものではなく、当業者なら誰でも、本発明の精神と範囲から逸脱しない限り、様々な選択や修正を行うことができる。よって、本発明の保護範囲は特許請求の範囲及びその等価形式によって限定される。
【符号の説明】
【００４５】
１００  フレーム本体
１１０  スライドレール
１２０  貫通孔
１３０  押し当てブロック
２００  係止部
２１０  摺動端
２２０  ガイド通路
３００  ラニヤード
４００  回転締結装置
４１０  ノブ
４２０  ハウジング
Ｏ  被固定物
Ｐ１  緩み位置
Ｐ２  固定位置
【図１】
0006564055.tif 000002
【図２】
0006564055.tif 000003
【図３】
0006564055.tif 000004
【図４Ａ】
0006564055.tif 000005
【図４Ｂ】
0006564055.tif 000006
【図５Ａ】
0006564055.tif 000007
【図５Ｂ】
0006564055.tif 000008
【図６】
0006564055.tif 000009
【図７】
0006564055.tif 000010